(57)【要約】  本発明は、可燃性容器（２００）に位置付けられた可燃性燃料要素（３４０、３５０、４６０、４６２、４６４）のスタック、及び可燃性着火要素（４５０）を備えた、発火装置を提供する。可燃性容器（２００）は、その中に位置付けられた引火性着火要素に着火するための少なくとも１つのアパーチャ（２０２）を設けるよう構成される。部品のキット、及びキットを組み立てる方法も提供される。【選択図】図３ｇ
2021525824.tif 000002
【特許請求の範囲】
【請求項１】
発火のための装置であって、
可燃性燃料要素のスタック、及び可燃性容器の中に位置付けられた引火性着火要素を備え、前記可燃性容器は、その中の前記引火性着火要素に着火するための、少なくとも１つのアパーチャを設けるよう構成される、装置。
【請求項２】
前記容器は、前記少なくとも１つのアパーチャを選択的に設けるよう構成された開放可能部を備える、請求項１に記載の装置。
【請求項３】
前記少なくとも１つのアパーチャは、前記着火要素の下方に位置付けられる、請求項１または２に記載の装置。
【請求項４】
前記着火要素は少なくとも２本の前記燃料要素によって支持される、請求項３に記載の装置。
【請求項５】
前記着火要素は、前記容器のベース領域に位置付けられた、離隔された第１の対の前記燃料要素の上方の、中間保持要素の上に位置付けられる、請求項４に記載の装置。
【請求項６】
離隔された前記第１の対の前記燃料要素は、前記容器のベース領域に配設された、ベース保持要素に位置付けられる、請求項５に記載の装置。
【請求項７】
前記中間保持要素は、前記第１の対の前記燃料要素の上で直角に向けて位置付けられた、離隔された第２の対の前記燃料要素間に支持される、請求項５または６に記載の装置。
【請求項８】
前記中間保持要素は、前記着火要素を前記第２の対の前記燃料要素間に位置付けるためのチャネルを画定する、請求項７に記載の装置。
【請求項９】
前記中間保持要素は、ベース部と、一対の細長い保持部とを備え、前記保持部は、前記容器内の所定の位置及び向きで、前記第２の燃料要素の各々１つと係合かつ保持するために、互いに相反する方向に外側に延びる、請求項８に記載の装置。
【請求項１０】
別の可燃性燃料要素が第２の層の上に位置付けられ、前記スタックの別の層を形成し、各層の前記燃料要素は離隔され、隣接の層の前記燃料要素に対して実質的に直角に向けられる、請求項９に記載の装置。
【請求項１１】
少なくとも１つの別の保持要素を備え、前記少なくとも別の層の前記燃料要素が、互いに対して、かつ前記容器に対して実質的に移動するのを防止する、請求項１０に記載の装置。
【請求項１２】
前記少なくとも１つの別の保持要素は、前記別の層の離隔された前記燃料要素間に位置付けられた、垂直に向けられた複数の保持部を備える、請求項１１に記載の装置。
【請求項１３】
前記少なくとも１つの別の保持要素は、上部を備え、前記上部から各保持部は延び、前記上部は少なくとも１つのアパーチャを有する、請求項１１または１２に記載の装置。
【請求項１４】
前記少なくとも１つの別の保持要素は可燃性である、請求項１１〜１３のうちいずれか一項に記載の装置。
【請求項１５】
前記容器は、前記容器の側壁に予め形成されるか、または形成可能な少なくとも１つの別のアパーチャを備える、請求項１〜１４のうちいずれか一項に記載の装置。
【請求項１６】
前記容器は、予め形成されるか、または形成可能な少なくとも１つの穴を有する蓋を備える、請求項１〜１５のうちいずれか一項に記載の装置。
【請求項１７】
発火の装置を組み立てるための部品のキットであって、
スタックを作るための、複数の可燃性燃料要素と、
前記スタックに含めるための、引火性着火要素と、
前記スタックが中に位置付けられたときに、前記引火性着火要素に着火するための、少なくとも１つのアパーチャを設けるよう構成される、可燃性容器と
を備える、キット。
【請求項１８】
前記容器内で所望の位置及び向きで、前記スタックの前記燃料要素の少なくとも１つの層を実質的に保持するための、少なくとも１つの保持要素を備える、請求項１７に記載のキット。
【請求項１９】
発火装置を組み立てる方法であって、
可燃性燃料要素のスタック、及び引火性着火要素を可燃性容器に位置付けるステップを含み、前記可燃性容器は、その中に位置付けられた前記引火性着火要素に着火するための、少なくとも１つのアパーチャを設けるよう構成される、方法。
【請求項２０】
前記容器に位置付けられた少なくとも２本の前記燃料要素によって、前記着火要素を支持するステップを含み、支持する前記燃料要素は、離隔され、かつ前記容器の少なくとも１つのアパーチャの各側、または選択的に前記少なくとも１つのアパーチャを設けるよう構成された容器の開放可能部の各側に位置付けられる、請求項１９に記載の方法。
【請求項２１】
前記容器のベース上に位置付けられて離隔された第１の対の前記燃料要素の、上方における中間保持要素に、前記着火要素を位置付けるステップを含む、請求項２０に記載の方法。
【請求項２２】
前記第１の対の前記燃料要素の上で直角に向けて位置付けられ、離隔された前記第２の対の前記燃料要素間で、前記中間保持要素を支持するステップを含む、請求項２１に記載の方法。
【請求項２３】
前記燃料要素の別の層を、前記第２の層の上に位置付けるステップを含み、各別の層における前記燃料要素は離隔され、隣接する層の前記燃料要素に対して実質的に直角に向けられる、請求項２２に記載の方法。
【請求項２４】
少なくとも１つの別の保持要素をスタックの中に位置付け、互いに対して、かつ前記容器に対して前記別の層の少なくとも前記燃料要素が、実質的に移動するのを防止するステップを含む、請求項２３に記載の方法。
【請求項２５】
前記容器の蓋を閉鎖するステップを含む、請求項１９〜２４のうちいずれか一項に記載の方法。
【発明の詳細な説明】
【技術分野】
【０００１】
本発明は発火のための装置に関する。詳細には本発明は、排他的ではないが、迅速、安全、かつ効果的に、様々な異なる用途で火をつけるための装置に関する。
【背景技術】
【０００２】
木材を燃やす従来のストーブは、煙道配管によって好適に煙道に接続された、一般に鋼鉄または鋳鉄である閉鎖された金属製の火室と、燃焼プロセス中に火室の中に引き込まれる空気の量を選択的に調節するための、１つまたは複数の制御部と、を含む。このようなストーブは一般的に、暖房及び／または調理のために、丸太または木材由来のバイオマス燃料などの木材燃料を燃やすために使用されるが、石炭及び／または泥炭も使用される。
【０００３】
通常、木材を燃やすストーブに火をつけることは、ストーブの火格子または火床の上に乾燥した発火材を配置すること、及びこれらに紙または焚き付け材を使用して火をつけて、火室を加熱し、煙道の機能を補助するために煙突を温めることを含む。一旦発火材が良好に燃えると、割木の大きい片が加えられて、安定した火床を作り出し、その後効果的かつ安定した火が得られたときに、より大きい丸太が加えられる。他の火をつける方法は、離隔された一対の丸太の間にチャネルを作り出すこと、紙または焚き付け材をチャネルに位置付けること、及びチャネルの上に発火材のブリッジを形成することを伴う、「トップダウン」方式を含む。しかし多くの人は、木材を燃やすストーブ、複数燃料ストーブ、焚火、バーベキュー、ピザ用オーブン、炉、またはキャンプファイアにおいて、首尾よく火をつけることに奮闘し続けている。初めから非効果的に燃える火は、過剰な煙を生成することになり、それはエネルギーを浪費して大気汚染を生じさせ、その排煙はクレオソートで満たされ、重大な火災被害となる。
【発明の概要】
【発明が解決しようとする課題】
【０００４】
様々な異なる用途において、効果的かつ着実な方法で、迅速かつ安全に発火させるための装置を提供することが、本発明における特定の実施形態の目的である。
【課題を解決するための手段】
【０００５】
本発明の第１の態様によると、発火させるための装置が提供され、それは、
可燃性燃料要素のスタック、及び可燃性容器の中に位置付けられた引火性着火要素を備え、この可燃性容器は、その中の引火性着火要素に着火するための、少なくとも１つのアパーチャを設けるよう構成される。
【０００６】
任意選択で、容器は、少なくとも１つのアパーチャを選択的に設けるよう構成された、開放可能部を備える。
【０００７】
任意選択で、少なくとも１つのアパーチャは、着火要素の下方に位置付けられる。
【０００８】
任意選択で、着火要素は少なくとも２本の燃料要素によって支持される。
【０００９】
任意選択で、着火要素は、容器のベース領域に位置付けられた、離隔された第１の対の燃料要素の上方において、中間保持要素の上に位置付けられる。
【００１０】
任意選択で、離隔された第１の対の燃料要素は、容器のベース領域に配設された、ベース保持要素に位置付けられる。
【００１１】
任意選択で、中間保持要素は、第１の対の燃料要素の上で、第１の対の燃焼要素に対して直角に向けられた、離隔された第２の対の燃料要素間に支持される。
【００１２】
任意選択で、中間保持要素は、着火要素を第２の対の燃料要素間に位置付けるための、チャネルを画定する。
【００１３】
任意選択で、中間保持要素は、ベース部と、一対の細長い保持部とを備える。この一対の細長い保持部は、容器内の所定の位置及び向きで、第２の燃料要素の各々１本を係合かつ保持するために、互いに相反する方向に外側に延びる。
【００１４】
任意選択で、別の可燃性燃料要素が第２の層の上に位置付けられ、スタックの別の層を形成する。各層の燃料要素は離隔され、隣接の層の燃料要素に対して実質的に直角に向けられる。
【００１５】
任意選択で、装置は少なくとも１つの別の保持要素を備え、少なくとも別の層の燃料要素が、互いに対して、かつ容器に対して実質的に移動するのを防止する。
【００１６】
任意選択で、少なくとも１つの別の保持要素は、別の層の離隔された燃料要素間に位置付けられ、かつ垂直に向けられた複数の保持部を備える。
【００１７】
任意選択で、少なくとも１つの別の保持要素は、そこから各保持部が延びる上部を備え、この上部には少なくとも１つのアパーチャを有する。
【００１８】
任意選択で、少なくとも１つの別の保持要素は可燃性である。
【００１９】
任意選択で、容器は、容器の側壁に予め形成されるか、または形成可能な少なくとも１つの別のアパーチャを備える。
【００２０】
任意選択で、容器は蓋を備え、この蓋の中に、予め形成されるか、または形成可能な少なくとも１つの穴を有する。
【００２１】
本発明の第２の態様によると、発火させるための装置を組み立てるための部品のキットが提供され、それは、
スタックを作るための、複数の可燃性燃料要素と、
スタックに含むための、引火性着火要素と、
スタックが中に位置付けられたときに、引火性着火要素に着火するための、少なくとも１つのアパーチャを設けるよう構成された、可燃性容器と
を備える。
【００２２】
任意選択で、キットは、スタックにおける上記の燃料要素の少なくとも１つの層を、容器内で所望の位置及び向きに実質的に保持するための、少なくとも１つの保持要素を備える。
【００２３】
本発明の第３の態様によると、発火させるための装置を組み立てるための方法が提供され、それは、
可燃性燃料要素のスタック及び引火性着火要素を、可燃性容器の中に位置付けるステップを含む。この可燃性容器は、その中の引火性着火要素に着火するための、少なくとも１つのアパーチャを設けるよう構成される。
【００２４】
任意選択で、この方法は、容器の中に位置付けられた少なくとも２本の燃料要素によって、着火要素を支持するステップを含む。支持する燃料要素は離隔され、容器の少なくとも１つのアパーチャの各側、または選択的に少なくとも１つのアパーチャを設けるよう構成された容器の開放可能部の各側に、位置付けられる。
【００２５】
任意選択で、この方法は、容器のベースに位置付けられて離隔された第１の対の燃料要素の、上方における中間保持要素に、着火要素を位置付けるステップを含む。
【００２６】
任意選択で、この方法は、中間保持要素を、第１の対の燃料要素に対して直角に向けて位置付けられた、離隔された第２の対の燃料要素間に支持するステップを含む。
【００２７】
任意選択で、この方法は、上記の燃料要素の別の層を、第２の層の上に位置付けるステップを備え、別の層における各々の燃料要素は離隔され、隣接する層の燃料要素に対して実質的に直角に向けられる。
【００２８】
任意選択で、この方法は、少なくとも１つの別の保持要素をスタックの中に位置付け、別の層の少なくとも燃料要素が、互いに対して、かつ容器に対して動くのを実質的に防止するステップを含む。
【００２９】
任意選択で、この方法は、容器の蓋を閉鎖するステップを含む。
【００３０】
次に本発明の特定の実施形態を、添付の図面を参照して説明する。
【図面の簡単な説明】
【００３１】
【図１】容器に位置付けるための、可燃性燃料要素のスタック及び引火性燃料要素を示す図である。
【図２】図１に示されるスタックを包含する箱を示す図である。
【図３ａ】スタックを形成するために、容器内に位置付けるためのベース保持要素を示す図である。
【図３ｂ】スタックの第１の層を形成するために、図３ａのベース保持要素に位置付けられ、離隔された第１の対の木材燃料要素を示す図である。
【図３ｃ】スタックの第２の層を形成するために、第１の対の木材燃料要素の上に位置付けられ、離隔された第２の対の木材燃料要素を示す図である。
【図３ｄ】第２の木材燃料要素の上及び間に位置付けるための、中間保持要素を示す図である。
【図３ｅ】中間保持要素の上、かつ第２の対の木材燃料要素間に位置付けられた、引火性着火要素を示す図である。
【図３ｆ】スタックの第３及び第４の層を形成するための、離隔された第３及び第４の木材燃料要素のセットを示す図である。
【図３ｇ】スタックの第５の層を形成するために、第４の層の上に位置付けられ、離隔された別の対の木材燃料要素、及びスタックの上部を貫通して位置付けられた上部保持要素を示す図である。
【図４】中間保持要素を示す図である。
【図５】上部保持要素を示す図である。
【発明を実施するための形態】
【００３２】
図１に示されるように、本発明の特定の実施形態によると、細長く水平方向に向けられた木材ベースの複数の燃料要素が、ジェンガ（登録商標）スタイル構成で配置され、立方体状のスタック１００を形成する。各燃料要素は、約１００〜１２０ｍｍの長さで、約２０×２０ｍｍの正方形断面を有する。しかし各燃料要素は、火をつける特定の用途のための、任意の好適な長さ及び断面、ならびにサイズであってよい。適切には、各燃料要素は、松材、モミ材、または杉材などの軟木である。
【００３３】
スタック１００は、図２に示される立方体状の箱２００など、対応するサイズ及び形状の可燃性容器の中に位置付けられるようにサイズ及び形状が決められ、それによって中にしっかりと包含され、搬送中、保管中、及び使用中の、過剰な移動／崩れるのを防止する。スタック１００は、容器２００のベースに位置付けるための、離隔され実質的に平行である一対の燃料要素１０２、１０４を備え、それによって、容器の側壁２０４の窓２０２及びベース２０６近くは、一対のベースの燃料要素１０２、１０４間に位置付けられる。ベースの燃料要素１０２、１０４の上に支持されるのは、例えば固形燃料焚き付け材などの引火性着火要素１０６である。これは、着火及び燃焼を促進させるため、可燃性の木材ベースの燃料要素に関して比較的引火しやすい。引火性燃料要素／促進剤１０６は、ヘキサミンを含み得るか、または代替として、高い引火性材料もしくは石油化学製品ベースの要素に由来しない、天然成分を含み得る。引火性燃料要素／促進剤１０６は、実質的にディスク形状で、約１００〜２００ｍｍの径、及び約６〜８ｍｍの厚さを有するが、正方形、矩形、三角形、楕円形などの様々な形状／サイズを有し得る。または、スタックの可燃性燃料要素のサイズ／形状／断面に対応し得る。複数、適切には３本の離隔された可燃性木材ベースの燃料要素１０８が、引火性燃料要素１０６の上に配置され、離隔されたベース燃料要素１０２、１０４に対して実質的に直角に向けられる。適切には各層３本である別の層の離隔された可燃性燃料要素１１０、１１２は、スタック１００を形成するよう提供され、各層の要素は、上下に位置付けられて隣接した層に対して、実質的に直角に向けられる。スタック１００の層の数は、容器２００の高さに対応し得る。
【００３４】
搬送中、保管中、または使用中に、実質的に水平に向けられた各層の燃料要素の、移動／崩れるのを防止するために、１つまたは複数の実質的に垂直に向けられた保持要素１１４が、水平に配置された燃料要素の層間の空隙を通過するよう設けられ得る。保持要素１１４は、可燃性または非可燃性であり得る。それらはスタックに残されてもよく、または装置が使用される前に除去及び廃棄されてもよい。例えば、保持要素１１４は実質的に可燃性であってもよく、下方の層の燃料要素に対して実質的に直角の向きに、スタックの頂部に配置される前に、除去され得る。それによって、スタックの最上層が形成される。代替として、容器は、その中に位置付けられた燃料要素をしっかりと保持するよう形状が決められ、搬送中、保管中、及び使用中に燃料要素が移動するのを防止し得る。別の代替として、容器の１つまたは複数の領域は、その内面から延びてスタックと係合し、搬送中、保管中、及び使用中に燃料要素が移動／崩れるのを防止し得る。別の代替として、カラーまたはスリーブなどの少なくとも１つの支持要素は、スタックの一部の周りに係合して、搬送中、保管中、または使用中に燃料要素が移動するのを防止し得る。このような支持要素は可燃性で、装置に火をつけるときに、その場に残されるか、または装置に火をつける前に装置から除去され得る。
【００３５】
図２に示されるように、可燃性容器２００は、適切にはスタック１００のサイズ及び形状に対応した内側サイズ及び形状を有する箱である。スタック１００は、可燃性燃料要素１０２、１０４、１０８、１１０、１１２、及び引火性燃料要素１０６が、例えば好適な接着剤によって共に固定されるように配置され得る。それによってスタック１００は、組立中に持ち上げて、容器の中に降ろされ得る。代替として、スタック１００は、個々の構成要素を中に順次位置付けることによって、容器の中に配置され得る。スタック１００は、窓２０２が一対のベース燃料要素１０２、１０４の間に位置付けられるように、容器の中に位置付けられる。望ましくは、これはユーザが例えばマッチまたはシガレットライターなどからの生の火を容器の内側に直接、離隔された支持／ベース燃料要素１０２、１０４によって容器のベースの上方に持ち上げられた、引火性燃料要素１０６の下に位置付けるのを可能にする。窓２０２も、十分な空気量を効果的に容器の中及びスタックの下に引き込むのを可能にし、引火性燃料要素の上方に位置付けられた可燃性燃料要素の、効果的かつ迅速な着火及び燃焼を保証する。引火性燃料要素１０６を、支持／ベース燃料要素１０２、１０４の少なくとも１つの層の上に支持することで、望ましい「トップダウン」方式によってスタックのより長い燃焼、及び後で火が配されることになる、さらに多くの燃料要素に効果的に着火することを可能にする。この配置は、空気が下からスタックを通過して流れることも可能にする。
【００３６】
図２に示される容器２００の窓２０２は、実質的にスロットが作られ、ベース縁部領域２０８から側壁２０４及びベース２０６の中に延びる。窓２０２は、適切には従来のシガレットライターを使用して焚き付け材１０６にアクセスするのを可能にするよう構成され、そのため、容器の外側に着火させてスタックの初期燃焼を作り出す必要はない。さらに、窓２０２は、空気を容器のこのポイントに引き込むのに役立ち、焚き付け材の初期燃焼、及び容器の中に包含された燃料のその後の燃焼を補助する。窓２０２は、側壁及びベースの実質的に中央に位置付けられる。しかし、窓２０２は、側壁２０４のみに位置付けられてもよく、及び／または中央からずらされてもよい。別の代替として、複数の窓が、容器のベースの近くに設けられ得る。例えば、第１の窓は、引火性燃料要素１０６に着火するために、容器の第１の壁に設けられ、第２の窓は、第１の壁に対向する別の壁に設けられ得る。これは、ユーザが引火性燃料要素に着火すること、ならびに／または迅速かつ効果的な着火及び燃焼させるために、さらなる空気の取入れをもたらすことを可能にし得る。窓２０２は常に開放され得るか、または代替として、搬送中及び保管中は閉じられるが、使用のために開放可能となり得る。例えば、容器の一部は、ユーザが窓、例えば折込ラインの周りで可動の閉鎖部などを開けるか、引き離すか、または剥がすことによって、開放可能となり得る。代替として、中に窓を設けるために、開放可能部は脆弱で、スコアラインまたは目打ちラインなどを介して、ユーザによって容器の壁から完全もしくは部分的に除去し得る。引き出し用芯などが、窓を介して引火性燃料要素１０６に火をつける補助のために設けられ得る。
【００３７】
例えば穴、スロット、目打ちラインなどの、１つまたは複数の別のアパーチャが、容器の壁に設けられ、迅速かつ効果的な着火及び燃焼のために、さらなる空気の取入れをもたらし得る。狭く細長いスロット及び／または約１〜５ｍｍ幅の小さい穴など、１つまたは複数の比較的小さいアパーチャは、空気を燃焼中の容器の中に吸い込んで空気を加速させるために望ましい場合がある。
【００３８】
容器２００は、適切には再生段ボールまたは実質的に硬質紙など、可燃性材料で作られ、開放された上部領域を有し得るか、または蓋２１０を含み得る。蓋２１０は、組み立て中にスタック１００が容器の中に位置付けられた後に閉鎖できる。蓋２１０は、１つまたは複数のアパーチャを含み、煙突として作用して、燃焼ガスが容器から排出されるのを可能にし得る。容器の外面は、製品名／会社名、ロゴ、登録商標、及び／または取扱説明などの絵図を含み得る。容器２００は、適切には約１２０×１２０×１２０ｍｍであるが、本発明の特定の実施形態による燃料要素のスタックを包含するための、好適な任意のサイズ及び形状とし得る。適切には、容器は、火格子または火床の上に位置付けられたときの安定のために、実質的に平坦なベースを有する。
【００３９】
本発明の実施形態は、図３ａ〜図５に示される。
【００４０】
図３ａに示されるように、ベース支持／保持要素３００は、図２に示されるような容器のベースに位置付けられる。ベース保持要素３００は、段ボールなど可燃性材料の実質的に矩形のシートから、切断及び折ることによって形成される。シートは、適切には約９７ｍｍの幅、及び約１７７ｍｍの長さである。第１の折込ライン３０２は、シートの第１の端部領域の近く（例えばシートの第１の端部から約４０ｍｍ）に作り出され、第２の折込ライン３０４は、シートの第２の端部領域の近く（例えばシートの第２の端部から約４０ｍｍ）に作り出される。側方に離隔された４つの切断部３０６、３０８、３１０、３１２は、各折込ラインを横断して作られる。これら切断部は、約３０ｍｍの長さである。最内部の切断部３０８、３１０は、約３７ｍｍだけ離隔される。最外部の切断部３０６、３１２は、シートの外縁部から約１０ｍｍだけ離される。これらの折込部は、各端部領域が上方に折り込まれ、実質的に平坦かつ水平のベース部３１８に対して実質的に垂直方向に向けられた、２つの垂直端部３１４、３１６を形成するのを可能にする。各折込ラインを横断する切断部は、内側に折り込むことによって、保持部３２０、３２２、３２４が形成されるのを可能にする。２つの空間が、木材燃料要素を受け入れて保持するようサイズが決められた、保持部間に形成される。これらの空間は、約２０ｍｍ幅である。第１の折込ラインにおける空間は、中に位置付けられた木材燃料が、互いに、かつ容器の対応する側壁と実質的に平行となるよう、第２の折込ラインにおける空間と整合される。各保持部３２０、３２２、３２４は、垂直に向けられた面３３０及び水平に向けられた面３３２を提供する。装置の組立中に、ベース保持要素３００は、箱状の容器のベースの中に摺動可能に位置付けられ、それによって、ベース部３０４は容器の平坦ベースと係合し、垂直端部３１４、３１６は、容器の側部におけるそれぞれの内面に対して係合する。
【００４１】
図３ｂに示されるように、第１の対の木材燃料要素３４０は、次にベース保持要素３００の保持部３２０、３２２、３２４の間に設けられた空間に位置付けられる。各空間は、木材燃料要素が、ベース保持要素３００に対して全く、または最小限しか移動しないよう、中に保持されるようにサイズが決められる。第１の対の木材燃料要素３４０は、可燃性燃料要素のスタックにおける第１の層を形成し、ベース保持要素３００にしっかりと位置付けられ、それらの容器内における位置及び向きが、組立中、保管中、搬送中、及び最終の使用中に実質的に固定されるのを保証する。第１の対の木材燃料要素３４０は、窓を備えた容器の側壁、またはユーザによって窓が形成される側壁から離され、それによって、以下でさらに説明するように、マッチまたは点火用ろうそくを容器の内側の中に挿入して、引火性燃料要素に火をつけるのを可能にする。
【００４２】
図３ｃに示されるように、離隔された第２の対の木材燃料要素３５０は次に、燃料要素３４０の第１の対に対して直角に向けられるように、第１の対の木材燃料要素３４０の上に位置付けられる。各第２の燃料要素３５０は、ベース保持要素３００の端部３１４、３１６のそれぞれ１つに接触して位置付けられ、任意選択で、第１の燃料要素３４０の高さが保持部より低いかまたは等しい場合に、保持部３２０、３２２、３２４の水平面３３２の上に位置付けられる。
【００４３】
図３ｄに示されるように、次に中間保持要素４００は、離隔された木材燃料要素３５０の第２の層の上に位置付けられる。図４に示されるように、中間保持部材４００は、例えば段ボールなどの可燃性材料シートから、４つの離隔された折込ライン４０２、４０４、４０６、４０８を中に作り出すことによって形成される。３面切断部が、内側折込ラインの各々から外側に延び、かつ各々の外側折込ラインを横断して、シートに作られ、一対の保持部４１０、４１２を作り出すのを可能にする。保持部４１０、４１２は、中間保持要素４００の実質的に平坦なベース部４１４から、反対方向に外側に延びる。ウィング部４１６、４１８は、内側及び外側折込ラインに沿って折り込むことによって形成され、それによってアパーチャを伴うチャネルを形成し、そこで保持部材が切断によって形成される。これらのアパーチャは、空気及び燃焼ガスが、容器のベースから、組み立てられたスタックを通って吹き上がり、効果的な燃焼を促進する。各細長い保持部４１０、４１２は、保持部を外側折込ライン４０２、４０８に沿って折り込むことによって形成される端部領域を含む。各端部領域には、保持部の残り部分に対して、例えば直角などの角度が付けられる。各ウィング部４１６、４１８の上部４２０は、ベース部４１４と実質的に平行であり、各ウィング部４１６、４１８の内面４２２は、実質的に角度が付けられ、テーパーが付けられたチャネルを画定する。ベース部４１４の長さは、各ウィング部の上面の長さ未満である。組立中、図３ｄに示されるように、中間保持要素３００は、離隔された第２の層の木材燃料要素３５０の上に位置付けられ、それによって、ベース部４１４は、第１の対の木材燃料要素３４０の上に載り、各ウィング部４１６、４１８の上部４２０は、第２の対の木材燃料要素のそれぞれの上に載る。各保持部４１０、４１２の端部領域の外面は、第２の対の木材燃料要素４５０のそれぞれの内面と係合し、容器の側壁に接触して押し付け／保持し、組立中、保管中、搬送中、または最終の使用中に、これら燃料要素のいかなる移動も排除／最小限に抑える。
【００４４】
図３ｅに示されるように、ヘキサミンベースの焚き付け材またはワックスで固められた軟木スタンドなど、細長い引火性着火要素４５０が、中間保持要素３００によって画定されたチャネルに位置付けられる。引火性要素４５０の端部は、チャネルのベースを越えて延び、中間保持要素４００は、容器のベースに設けられた、または形成された窓の上方に着火要素を位置付ける。この配置は、適切には、容器の窓を介して挿入された炎が、効果的に着火要素に火をつけるのを可能にする。着火要素を第１の層の木材燃料要素３４０の上方に位置付けることは、下方の窓から容器の中に、空気を強制的に引き込み、特により薄い中間保持要素４００が燃やされ、その一体性が弱体化するとき、着火要素がまだ燃えている場合に下方の燃料要素３４０の第１の層の上に落ちるよう、効果的な「トップダウン」方式を作り出す。
【００４５】
図３ｆに示されるように、離隔された第３及び第４の層４６０、４６２の木材燃料要素は、隣接する層の燃料要素が互いに対して直角に向けられ、ジェンガ（登録商標）スタイルのスタックを形成するよう、第２の層の燃料要素の上に位置付けられる。
【００４６】
図３ｇに示されるように、離隔された別の対の木材燃料要素４６４が、第４の層の上に位置付けられ、スタックの第５の層を形成する。第５の層は、第４の層に対して直角に向けられ、別の燃料要素４６４の対の各々は、容器のそれぞれの壁に接触して位置付けられる。次に上部保持要素５００は、スタックにおける上部の中央の中に位置付けられ、各燃料要素を、第３、第４、ならびに第５の層の、所望の位置及び向きに保持して、それによって組立中、保管中、搬送中、及び最終の使用中に、これらの燃料要素のいかなる移動も除去／最小限に抑える。図５に示されるように、上部保持要素５００は、実質的に正方形の上部５０２、及び上部５０２の各隅部から下方に延びた複数の細長い脚部５０４を含む。各脚部５０４は、保持要素の隅部を画定し、それによって燃料要素のそれぞれの面と係合するために、互いに対して実質的に直角に向けられた２つの保持面を提供する。上部５０２は中央アパーチャ５０６を含み、煙突として作用して、空気がスタックを通って上方に流れるのを可能にし、例えば煙などの燃焼ガスを、燃えているスタックから容器の頂部の開口部に向けて誘導する。上部保持要素５００は、例えば段ボールなどの可燃性材料シートから形成され、その各側部は、上部に対して直角になるよう下方に折り込まれ、隅部脚部の各々を形成する。任意選択で、各脚部の２つの側部は、装置の組立中に移動して離れないよう、例えばタブまたはテープもしくは接着剤によって互いに接続され得る。適切には、正方形の上部５０２は約５６×５６ｍｍ、各側部は約５０ｍｍの長さである。各脚部の側部は約１７ｍｍの幅で、隣接する脚部間の空間は約２２ｍｍである。上部５０２のアパーチャ５０６は、約３２ｍｍの径である。脚部間の空間または空隙は、上部へは延びず、それによって、上部保持部材５００の平坦な上面を、燃料要素４６４の上層によって画定された平面上または平面近くに位置付ける。これは、例えば容器が逆さにされた場合、特に保管中及び搬送中に、上部保持部材５００の、スタックにおける軸方向の移動が制限されるのを保証する。この状況において、スタックに対する上部保持部材の軸方向の移動は、容器の蓋によって制限され、第３、第４、及び第５の層における燃料要素が、それらの所望の位置及び向きに保持され続けるのを保証する。
【００４７】
図３ａ〜図５に示されたスタックを包含するための好適な容器は、図２に示された容器と同一、または類似する。適切には、容器は、同寸法の６つの側部、及び閉鎖可能な蓋を有し、実質的に箱状である。容器の内寸法は、組み立てられたスタックの外側の制限値と実質的に同じであり、それによって、保持要素と組み合わせて、組立中、保管中、搬送中、及び使用中に、スタックが容器の中で崩れない／動き回らないことを保証する。開口部は、開口部が引火性着火要素４５０の端部領域の直下となるよう、適切には容器の壁の下部に予め設けられるか、またはユーザによって作り出すことが可能である。開口部は、容器のベースの中に延びてもよく、または延びなくてもよい。容器は、引火性着火要素の一方または両端の領域に着火するための開口部を設けるよう構成され得る。すなわち開口部は、容器の一方または両端側に、予め設けられるか、またはユーザによって作り出すことが可能であり得る。開口部を、容器の両端側の下部に設けることによって、一方または両端部において着火要素に火をつけることを可能にし、さらには空気を、両端側からスタックの底部の中に引き込むことを可能にする。
【００４８】
したがって本発明における特定の実施形態は、迅速かつ安全に、様々な異なる用途において、効果的かつ着実な方法で発火させるための装置を提供する。装置は予め組み立てられ、そのためにユーザが好適な火を起こす必要性、または好適な火を起こすための任意の知識を有する必要性を排除する。装置は包含され、それによって燃料要素を可能な限りスタックの中に残すよう保証し、その着火及び燃焼効果を最大にする。装置は、その燃料要素のスタックにおける効果的な着火及び燃焼を促進する方法で、組み立てられる。装置は、環境にやさしいように、最小の煙及び煤で清潔に開始するのを保証する。装置は、望ましくない大量の不燃焼灰の源となる、従来の火をつける方法で使用される大量の新聞紙の必要性を排除する。装置は包含され、その要素は所望の位置及び向きに保持され、組立中、保管中、搬送中、または最終の使用中に、それらの燃料要素のいかなる移動も排除／最小限に抑える。組み立てられた装置のサイズ及び形状は、効果的な運搬及び保管も可能にする。
【図１】
2021525824.tif 000003
【図２】
2021525824.tif 000004
【図３ａ】
2021525824.tif 000005
【図３ｂ】
2021525824.tif 000006
【図３ｃ】
2021525824.tif 000007
【図３ｄ】
2021525824.tif 000008
【図３ｅ】
2021525824.tif 000009
【図３ｆ】
2021525824.tif 000010
【図３ｇ】
2021525824.tif 000011
【図４】
2021525824.tif 000012
【図５】
2021525824.tif 000013
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
発火のための装置であって、
可燃性容器内に位置付けられた細長い可燃性燃料要素の少なくとも３つの層を含むスタックであって、そのベース領域の近辺には少なくとも１つのアパーチャが設けられており、各層の燃料要素は離隔され、隣接する層の燃料要素に対して実質的に直角に向けて位置付けられているスタックと、
前記アパーチャおよび前記スタックの第１の層の燃料要素の上方に引火性着火要素を位置付けるように構成された中間保持要素に支持される引火性着火要素と、を備え、
前記第１の層の燃料要素は、前記容器内の第１の所定の位置および向きに保持するために前記容器のベース領域に位置付けられたベース保持要素内に位置付けられ、前記中間保持要素は、前記スタックの第２の層の燃料要素の間で、かつ前記スタックの第３の層の下方に前記着火要素を支持するようにさらに構成されていることを特徴とする、装置。
【請求項２】
前記容器は、前記少なくとも１つのアパーチャを選択的に設けるよう構成された開放可能部を備える、請求項１に記載の装置。
【請求項３】
前記中間保持要素は、前記着火要素を支持し、前記着火要素を前記第２の層の燃料要素間に位置付けるためのチャネルを画定する、請求項１または２に記載の装置。
【請求項４】
前記中間保持要素は、ベース部と、一対の細長い保持部とを備え、前記保持部は、容器内の第２の所定の位置及び向きで、前記第２の層の燃料要素の各々１つと係合かつ保持するために、互いに相反する方向に外側に延びる、請求項３に記載の装置。
【請求項５】
前記第１の所定の向きは、前記第２の所定の向きと実質的に直角である、請求項４に記載の装置。
【請求項６】
前記第１の所定の向きは、第１の壁と実質的に平行であり、前記第１の壁は、少なくとも１つのアパーチャを有する、請求項５に記載の装置。
【請求項７】
前記第１の所定の位置は、前記第１の壁と離隔されている、請求項６に記載の装置。
【請求項８】
別の可燃性燃料要素が第３の層の上に位置づけられ、前記スタックの少なくとも１つの別の層を形成する、請求項４から７のうちいずれか一項に記載の装置。
【請求項９】
少なくとも１つの別の保持要素を備え、少なくとも第３の層の燃料要素が、互いに対して、かつ前記容器に対して実質的に移動するのを防止する、請求項１から８のいずれか一項に記載の装置。
【請求項１０】
前記少なくとも１つの別の保持要素は、少なくとも第３の層の離隔された燃料要素間に位置付けられた、垂直に向けられた複数の保持部を備える、請求項９に記載の装置。
【請求項１１】
前記少なくとも１つの別の保持要素は、上部を備え、前記上部から各保持部は延び、前記上部は少なくとも１つのアパーチャを有する、請求項９または１０に記載の装置。
【請求項１２】
前記少なくとも１つの別の保持要素は可燃性である、請求項９から１１のうちいずれか一項に記載の装置。
【請求項１３】
前記容器は、前記容器の別の側壁に予め形成されるか、または形成可能な少なくとも１つの別のアパーチャを備える、請求項１から１２のうちいずれか一項に記載の装置。
【請求項１４】
前記容器は、予め形成されるか、または形成可能な少なくとも１つの穴を有する蓋を備える、請求項１から１３のうちいずれか一項に記載の装置。
【請求項１５】
発火装置を組み立てる方法であって、
可燃性容器のベース領域にベース保持要素を位置づけるステップであって、前記ベース領域は近傍に少なくとも１つのアパーチャを有するように構成されているステップと、
前記ベース保持要素の中に、離隔された細長い可燃性燃料要素の第１の層を位置づけて、前記容器内の第１の所定の位置および向きに保持するステップと、
前記第１の層の上に、離隔された細長い可燃性燃料要素の第２の層を位置づけるステップと、
前記第２の層の燃料要素の上に中間保持要素を位置づけるステップと、
引火性着火要素を、アパーチャや前記第１の層の燃料要素より上方で、かつ前記第２の層の燃料要素の間に位置づけるように、前記引火性着火要素を前記中間保持要素に保持させるステップと、
前記第２の層の上に、離隔された細長い可燃性燃料要素の第３の層を位置づけ、離隔された可燃性燃料要素からなる少なくとも３つの層を含むスタックを提供するステップであって、各層の燃料要素は、隣接する層の燃料要素に対して実質的に直角に向けて位置付けられていることを特徴とするステップと、を含む方法。
【請求項１６】
前記第１の層の燃料要素は、前記容器の少なくとも１つのアパーチャの各側、または選択的に少なくとも１つのアパーチャを設けるよう構成された前記容器の開放可能部の各側に位置付けられる、請求項１５に記載の方法。
【請求項１７】
前記第２の層の燃料要素のそれぞれを、前記中間保持要素の一対の細長い保持部分のそれぞれ一方に係合させて、燃料要素を前記容器内の第２の所定の位置および向きに保持するステップを含む、請求項１６に記載の方法。
【請求項１８】
前記第１の所定の向きは、前記第２の所定の向きと実質的に直角である、請求項１７に記載の方法。
【請求項１９】
前記第１の所定の向きは、第１の壁と実質的に平行であり、前記第１の壁は、少なくとも１つのアパーチャを有する、請求項１８に記載の方法
【請求項２０】
前記第１の所定の位置は、前記第１の壁と離隔されている、請求項１９に記載の方法。
【請求項２１】
離隔された燃料要素の少なくとも１つの別の層を、前記燃料要素の第３の層の上に位置づけるステップを含む、請求項１５から２０のうちいずれか一項に記載の方法。
【請求項２２】
少なくとも１つの別の保持要素をスタックの中に位置付け、互いに対して、かつ前記容器に対して少なくとも前記第３の層の燃料要素が、実質的に移動するのを防止するステップを含む、請求項１５から２１のいずれか一項に記載の方法。
【請求項２３】
前記容器の蓋を閉鎖するステップを含む、請求項１５から２２のうちいずれか一項に記載の方法。
【国際調査報告】
2021525824.tif 000014
2021525824.tif 000015